(57)【要約】【課題】一時的な入退管理が可能で、かつ、入退管理情報がリアルタイムに確認可能となる、入退管理システムを提供する。【解決手段】入退出の管理対象である管理区域において、入退出対象が備え、入退出対象の対象識別情報が記憶されるタグ３−１〜３−ｍと、端末２−１〜２−ｎと、端末２−１〜２−ｎで受け付けられた入退出の情報を集約するサーバ１とが接続する入退管理システムであって、端末２−１〜２−ｎが、タグ３−１〜３−ｍから対象識別情報を読み出し、入退出を識別する入退出識別情報の入力を受け付け、読み出した対象識別情報と、入力された入退出識別情報とを対応付けて読取情報としてサーバ１に送信し、サーバ１は端末２−１〜２−ｎから受信する全読取情報を集約し、所定の条件に適合する読取情報を抽出し、端末２−１〜２−ｎに抽出した情報を送信し、サーバ１及び端末２−１〜２−ｎが、抽出した情報をユーザに提示する。【選択図】図１
2008070967.tif 000002
【特許請求の範囲】
【請求項１】
入退出の管理対象である管理区域において、管理区域に入退出する入退出対象が備え、前記入退出対象の対象識別情報が記憶される記憶媒体と、該記憶媒体に記憶される対象識別情報を読み出す手段を有し、入退出対象の入退出の情報を受け付ける１つまたは複数の端末と、該端末で受け付けられた入退出の情報を集約するサーバとが接続する入退管理システムであって、
前記端末が、前記サーバと通信する通信手段と、前記記憶媒体から対象識別情報を読み出す読出手段と、入退出を識別する入退出識別情報の入力を受け付ける入力受付手段と、読み出した前記対象識別情報と、入力された前記入退出識別情報とを対応付けて読取情報として記憶する読取情報記憶手段と、前記サーバから受信した情報を通知する通知手段と、前記サーバから受信した対象識別情報を記憶する対象情報記憶手段とを備え、
前記サーバが、前記端末と通信する通信手段と、前記記憶媒体から前記対象識別情報を読み出す読出手段と、読み出した前記対象識別情報を記憶する対象情報記憶手段と、１つまたは複数の前記端末から送信される前記読取情報を入退情報として記憶する入退情報記憶手段と、前記端末を識別する端末識別情報を記憶する端末識別情報記憶手段と、前記入退情報から、所定の条件に適合する前記入退情報を抽出する管理手段と、抽出した抽出情報を通知する通知手段とを備え、
前記サーバが、前記対象識別情報を前記端末に送信し、
前記端末が、前記対象識別情報を前記対象情報記憶手段に書き込み、前記読取情報記憶手段から読取情報を読み出し、読み出した前記読取情報を前記サーバに送信し、
前記サーバが、受信した前記読取情報を前記入退情報として前記入退情報記憶手段に書き込み、前記入退情報記憶手段に書き込まれている前記入退情報を読み出して、所定の条件に適合する前記入退情報を抽出し、抽出した前記抽出情報を前記通知手段によって通知し、前記抽出情報を前記端末に送信し、
前記端末が、受信した前記抽出情報を前記通知手段によって通知する
ことを特徴とする入退管理システム。
【請求項２】
前記サーバと前記端末とが有する前記通信手段は、
４２６ＭＨｚ帯または４２９ＭＨｚ帯の無線帯域を用いて無線通信を行う特定小電力無線局装置を有する
ことを特徴とする請求項１に記載の入退管理システム。
【請求項３】
入退出の管理対象である管理区域において、管理区域に入退出する入退出対象が備え、前記入退出対象の対象識別情報が記憶される記憶媒体と、該記憶媒体に記憶される対象識別情報を読み出す手段を有し、入退出対象の入退出の情報を受け付ける１つまたは複数の端末と、該端末で受け付けられた入退出の情報を集約するサーバとが接続する入退管理システムに用いられるサーバであって、
前記端末と通信する通信手段と、
前記記憶媒体から前記対象識別情報を読み出す読出手段と、
読み出した前記対象識別情報を記憶する対象情報記憶手段と、
１つまたは複数の前記端末から送信される前記読取情報を入退情報として記憶する入退情報記憶手段と、
前記端末を識別する端末識別情報を記憶する端末識別情報記憶手段と、
前記入退情報から、所定の条件に適合する前記入退情報を抽出する管理手段と、
抽出した抽出情報を通知する通知手段と
を備えることを特徴とするサーバ。
【請求項４】
入退出の管理対象である管理区域において、管理区域に入退出する入退出対象が備え、前記入退出対象の対象識別情報が記憶される記憶媒体と、該記憶媒体に記憶される対象識別情報を読み出す手段を有し、入退出対象の入退出の情報を受け付ける１つまたは複数の端末と、該端末で受け付けられた入退出の情報を集約するサーバとが接続する入退管理システムに用いられる端末であって、
前記サーバと通信する通信手段と、
前記記憶媒体から対象識別情報を読み出す読出手段と、
入退出を識別する入退出識別情報の入力を受け付ける入力受付手段と、
読み出した前記対象識別情報と、入力された前記入退出識別情報とを対応付けて記憶する読取情報記憶手段と、
前記サーバから受信した情報を通知する通知手段と、
前記サーバから受信した対象識別情報を記憶する対象情報記憶手段と
を備えることを特徴とする端末。
【請求項５】
前記端末は、
１つまたは複数の前記端末からサーバに送信された前記読取情報である、入退情報をサーバから受信し、前記入退情報から、所定の条件に適合する前記入退情報を抽出する管理手段をさらに備え、
前記管理手段が抽出した前記入退情報を前記通知手段によって通知する
ことを特徴とする請求項４に記載の端末。
【請求項６】
前記端末は、
前記管理手段が、前記読取情報記憶手段から所定の条件に適合する読取情報を抽出し、
前記通知手段が、前記サーバから受信した情報または、前記管理手段が抽出した前記入退情報に加えて、抽出された前記読取情報を通知する
ことを特徴とする請求項４または５に記載の端末。
【請求項７】
前記端末は、
前記端末の入力受付手段が、前記記憶媒体から対象識別情報を読み出し、入退出を識別する入退出識別情報の入力を受け付ける入力受付状態と、前記通知手段が前記入退情報を通知する情報通知状態とを切り替える機能を割り当てられた操作部を有する
ことを特徴とする請求項４から６のいずれかに記載の端末。
【請求項８】
入退出の管理対象である管理区域において、管理区域に入退出する入退出対象が備え、前記入退出対象の対象識別情報が記憶される記憶媒体と、該記憶媒体に記憶される対象識別情報を読み出す手段を有し、入退出対象の入退出の情報を受け付ける１つまたは複数の端末と、該端末で受け付けられた入退出の情報を集約するサーバとが接続する入退管理方法であって、
前記端末が、入退出を識別する入退出識別情報の入力を受け付ける過程と、前記記憶媒体から対象識別情報を読み出す過程と、読み出した前記対象識別情報と、入力された前記入退出識別情報とを対応付けて読取情報として記憶する過程とを有し、
前記サーバが、前記記憶媒体から前記対象識別情報を読み出す過程と、読み出した前記対象識別情報を記憶する過程と、前記対象識別情報を前記端末に送信する過程を有し、
前記端末が、サーバから受信した前記対象識別情報を前記対象情報記憶手段に書き込む過程と、記憶した前記読取情報を読み出す過程と、読み出した前記読取情報を前記サーバに送信する過程とを有し、
前記サーバが、１つまたは複数の前記端末から送信される前記読取情報を入退情報として記憶する過程と、前記端末を識別する端末識別情報を記憶する過程と、前記入退情報から、所定の条件に適合する前記入退情報を抽出する過程と、抽出した抽出情報を通知する過程と、前記抽出情報を前記端末に送信する過程を有し、
前記端末が、前記サーバから受信した前記抽出情報を前記通知手段によって通知する過程を有する
ことを特徴とする入退管理方法。
【請求項９】
請求項１から８のいずれかに記載の情報処理サーバとして、コンピュータを機能させるためのプログラム。
【請求項１０】
請求項９に記載のプログラムを記録したコンピュータ読み取り可能な記録媒体。
【発明の詳細な説明】
【技術分野】
【０００１】
本発明は、入退管理システム、サーバ、端末、方法、プログラム、及び、記録媒体に関する。
【背景技術】
【０００２】
入退出の管理を行う場合、台帳等に入退出の記録を記入する方法では、記入の手間が面倒で、時間もかかる。また、出入口が複数ある場合には、いずれの出入口から入り、いずれの出入口から退出したのかを把握するためには、全ての出入口に設置される台帳を参照しなければならず、リアルタイムに把握することはできない。
これに対し、特許文献１に示す様に、利用者が有するＩＤを送信する装置から、各領域の出入口ごとに設けられるＩＤ読取装置が利用者のＩＤ送信装置からＩＤを読み取り、読み取ったデータを情報処理装置に送信して、情報処理装置において迷い人となった利用者の位置を把握することが可能となる方法が提案されている。
【特許文献１】特開平７−５６９９１号公報
【発明の開示】
【発明が解決しようとする課題】
【０００３】
しかしながら、上記の特許文献１に示す方法では、予め出入口ごとに読み取り装置を設置しておくことにより、利用者がいずれの位置にいるのかを把握する構成であるため、一時的に入退出管理が必要となる場合には向いていない。例えば、火事現場において、消防隊員は火事現場の建物等への入退出時に、自身の所属する班の班長に入退出を報告する。しかし、自身の所属する班長が監視する出入口から現場へ進入し、別の班の班長が監視する出入口から退出すると、自身の所属する班長には消防隊員が現場に残存しているか否かが分からなくなってしまう。
この様な一時的な入退出管理としては、ＩＤ等をＩＣタグなどから読み取る読取装置を備えるゲートを用いる方法があるが、この様なゲートを設置するには、出入口付近にゲートを設置する場所を確保しなければならず、また、コストが膨大であるという問題点がある。さらに、ゲートから送信される情報を集約する集約サーバにおいてのみでしか、内部に人がいるか否かが分からないという問題がある。
【０００４】
本発明はこの様な事情を考慮してなされたもので、本発明の解決すべき主要な課題は、上記の問題を解決し、一時的な入退出管理が可能で、かつ、入退出管理情報がリアルタイムに確認可能となる、入退管理システムを実現することにある。
【課題を解決するための手段】
【０００５】
上記目的を達成するために、本発明の入退管理システムは、入退出の管理対象である管理区域（例えば、実施形態における火事の現場）において、管理区域に入退出する入退出対象（例えば、実施形態における消防の隊員）が備え、入退出対象の対象識別情報（例えば、実施形態における隊員情報の隊員ＩＤまたはタグＩＤ）が記憶される記憶媒体（例えば、実施形態におけるタグ３−１〜３−ｍ）と、記憶媒体に記憶される対象識別情報を読み出す手段を有し、入退出対象の入退出の情報を受け付ける１つまたは複数の端末と、該端末で受け付けられた入退出の情報を集約するサーバとが接続する入退管理システムであって、端末が、サーバと通信する通信手段（例えば、実施形態における通信部２０）と、記憶媒体から対象識別情報を読み出す読出手段（例えば、実施形態におけるタグ読取部２４）と、入退出を識別する入退出識別情報（例えば、実施形態における入退種別）の入力を受け付ける入力受付手段（例えば、実施形態における入力受付部２３）と、読み出した対象識別情報と、入力された入退出識別情報とを対応付けて読取情報として記憶する読取情報記憶手段（例えば、実施形態における読取情報データベース２６）と、サーバから受信した情報を通知する通知手段（例えば、実施形態における表示部２２）と、サーバから受信した対象識別情報を記憶する対象情報記憶手段（例えば、実施形態における隊員情報データベース２５）とを備え、サーバが、端末と通信する通信手段（例えば、実施形態における通信部１０）と、記憶媒体から対象識別情報を読み出す読出手段（例えば、実施形態におけるタグ読取部タグ読取部１４）と、読み出した対象識別情報を記憶する対象情報記憶手段（例えば、実施形態における隊員情報データベース１５）と、１つまたは複数の端末から送信される読取情報を入退情報として記憶する入退情報記憶手段（例えば、実施形態における入退情報データベース１７）と、端末を識別する端末識別情報を記憶する端末識別情報記憶手段（例えば、実施形態における端末識別情報データベース１８）と、入退情報から、所定の条件（例えば、実施形態における進入中という条件）に適合する入退情報を抽出する管理手段（例えば、実施形態におけるデータ管理部１１）と、抽出した抽出情報を通知する通知手段（例えば、実施形態における表示部１２）とを備え、サーバが、対象識別情報を端末に送信し、端末が、対象識別情報を対象情報記憶手段に書き込み、読取情報記憶手段から読取情報を読み出し、読み出した読取情報をサーバに送信し、サーバが、受信した読取情報を入退情報として入退情報記憶手段に書き込み、入退情報記憶手段に書き込まれている入退情報を読み出して、所定の条件に適合する入退情報を抽出し、抽出した抽出情報を通知手段によって通知し、抽出情報を端末に送信し、端末が、受信した抽出情報を通知手段によって通知することを特徴とする。
【０００６】
また、本発明におけるサーバと端末とが有する通信手段は、４２６ＭＨｚ帯または４２９ＭＨｚ帯の無線帯域を用いて無線通信を行う特定小電力無線局装置を有することを特徴とする。
【０００７】
本発明のサーバは、入退出の管理対象である管理区域において、管理区域に入退出する入退出対象が備え、入退出対象の対象識別情報が記憶される記憶媒体と、該記憶媒体に記憶される対象識別情報を読み出す手段を有し、入退出対象の入退出の情報を受け付ける１つまたは複数の端末と、該端末で受け付けられた入退出の情報を集約するサーバとが接続する入退管理システムに用いられるサーバであって、端末と通信する通信手段と、記憶媒体から対象識別情報を読み出す読出手段と、読み出した対象識別情報を記憶する対象情報記憶手段と、１つまたは複数の端末から送信される読取情報を入退情報として記憶する入退情報記憶手段と、端末を識別する端末識別情報を記憶する端末識別情報記憶手段と、入退情報から、所定の条件に適合する入退情報を抽出する管理手段と、抽出した抽出情報を通知する通知手段とを備えることを特徴とする。
【０００８】
本発明の端末は、入退出の管理対象である管理区域において、管理区域に入退出する入退出対象が備え、入退出対象の対象識別情報が記憶される記憶媒体と、該記憶媒体に記憶される対象識別情報を読み出す手段を有し、入退出対象の入退出の情報を受け付ける１つまたは複数の端末と、該端末で受け付けられた入退出の情報を集約するサーバとが接続する入退管理システムに用いられる端末であって、サーバと通信する通信手段と、記憶媒体から対象識別情報を読み出す読出手段と、入退出を識別する入退出識別情報の入力を受け付ける入力受付手段と、読み出した対象識別情報と、入力された入退出識別情報とを対応付けて記憶する読取情報記憶手段と、サーバから受信した情報を通知する通知手段と、サーバから受信した対象識別情報を記憶する対象情報記憶手段とを備えることを特徴とする。
【０００９】
また、本発明の端末は、１つまたは複数の端末からサーバに送信された読取情報である、入退情報をサーバから受信し、入退情報から、所定の条件に適合する入退情報を抽出することにより管理する管理手段（例えば、実施形態におけるデータ管理部２１）をさらに備え、管理手段が抽出した入退情報を通知手段によって通知することを特徴とする。
【００１０】
また、本発明の端末は、管理手段が、読取情報記憶手段から所定の条件（例えば、実施の形態におけるサーバ１に未送信の情報）に適合する読取情報を抽出し、通知手段が、サーバから受信した情報または、管理手段が抽出した入退情報に加えて、抽出された読取情報を通知することを特徴とする。
【００１１】
また、本発明の端末は、端末の入力受付手段が、記憶媒体から対象識別情報を読み出し、入退出を識別する入退出識別情報の入力を受け付ける入力受付状態（例えば、実施形態における入退受付過程）と、通知手段が入退情報を通知する情報通知状態（例えば、実施形態における進入状況表示過程）とを切り替える機能を割り当てられた操作部（例えば、実施形態における操作キー）を有することを特徴とする。
【００１２】
本発明の入退管理方法は、入退出の管理対象である管理区域において、管理区域に入退出する入退出対象が備え、入退出対象の対象識別情報が記憶される記憶媒体と、該記憶媒体に記憶される対象識別情報を読み出す手段を有し、入退出対象の入退出の情報を受け付ける１つまたは複数の端末と、該端末で受け付けられた入退出の情報を集約するサーバとが接続する入退管理方法であって、端末が、入退出を識別する入退出識別情報の入力を受け付ける過程と、記憶媒体から対象識別情報を読み出す過程と、読み出した対象識別情報と、入力された入退出識別情報とを対応付けて読取情報として記憶する過程とを有し、サーバが、記憶媒体から対象識別情報を読み出す過程と、読み出した対象識別情報を記憶する過程と、対象識別情報を端末に送信する過程を有し、端末が、サーバから受信した対象識別情報を対象情報記憶手段に書き込む過程と、記憶した読取情報を読み出す過程と、読み出した読取情報をサーバに送信する過程とを有し、サーバが、１つまたは複数の端末から送信される読取情報を入退情報として記憶する過程と、端末を識別する端末識別情報を記憶する過程と、入退情報から、所定の条件に適合する入退情報を抽出する過程と、抽出した抽出情報を通知する過程と、抽出情報を端末に送信する過程を有し、端末が、サーバから受信した抽出情報を通知手段によって通知する過程を有することを特徴とする。
【発明の効果】
【００１３】
以上説明した様に、本発明によれば、持ち運び可能な端末を、入退管理対象の管理区域の出入口に備え、入退出ごとに入退出の情報を蓄積し、サーバにおいて、全端末から入退出の情報を受信し、集約することにより、サーバは全入退出者を把握することが可能となる効果がある。また、サーバは集約した進入情報または退出情報またはその組合せの情報を端末に送信することにより、端末においても入退出者の全情報を把握することが可能となる効果がある。
【発明を実施するための最良の形態】
【００１４】
次に、本発明の１実施形態を図面を参照して説明する。図１は、入退管理システムの全体構成を示すブロック図である。この実施形態においては、消防車ごとに数人の隊員で構成される班が、火事現場に複数到着した場合を例に説明する。なお、この班ごとに、一人の班長がおり、この班長が班を構成する他の隊員に現場への進入等の指示を出す。各班の隊員は、入退出する出入口から最寄りにいる班長に進入前または退出後にそれぞれ進入または退出の旨を必ず報告する。なお、この報告は、必ずしもその隊員自身が所属する班の班長でなくともよい。また、図２は、火事場における、消防隊の隊員の入退出を管理する入退管理システムを示す概念図である。
【００１５】
各班が各々１つずつ備える端末２−１〜２−ｎと、サーバ１とは無線通信によって接続される。また、各隊員が備えるタグ３−１〜３−ｍは、サーバ１及び端末２−１〜２−ｎによって、タグ３−１〜３−ｍに格納されている情報が読み取られる。
タグ３−１〜３−ｍは、例えば、ＩＣタグであり、このタグ３−１〜３−ｍには、タグ３−１〜３−ｍの識別情報であるタグＩＤ、このタグ３−１〜３−ｍを持つ隊員の識別情報である隊員ＩＤ、隊員の氏名、隊員の所属する班の識別情報である小隊名、隊員の階級、年齢、血液型からなる情報が、隊員情報として格納されている。以下の記載では、隊員ＩＤ、氏名、小隊名、階級、年齢、血液型からなる情報を隊員情報として記載する。
【００１６】
サーバ１は、火事現場において活動する全消防隊員の隊員情報を保持する。また、全隊員の現場への入退出情報を、端末２−１〜２−ｎから入退出情報を受信することにより集約し、集約した進入情報を端末２−１〜２−ｎへ送信する。
サーバ１において、通信部１０は、端末２−１〜２−ｎと無線通信を行う。データ管理部１１は、受信したデータ、タグ３−１〜３−ｍから読み取ったデータ、送信するデータ、表示部１２においてユーザ（例えば消防隊の隊員や、現場の管理者）に提示する画面に表示させる情報の制御を行う。また、データ管理部１１は、現在時刻情報が取得可能な時計機能を有している。詳細な動作は後述する。
表示部１２は、データ管理部１１から入力される表示命令信号に基づき、いずれの隊員が現場に進入しているのか、また、進入している隊員の情報、ユーザに入力を求める操作画面等を表示する。
【００１７】
入力受付部１３は、ユーザの入力を受け付けるインタフェースであり、例えばキーボード、マウス、ボタン、ジョグキー、音声入力インタフェースなどである。なお、音声入力インタフェースとは、予め入力される命令信号の音声パターンが記憶されており、その音声パターンとマッチする音声が入力されると、音声パターンと対応付けられている命令信号として端末２−１〜２−ｎに入力されるものであり、例えば、「進入者表示」という音声入力があると、「進入者表示」という音声パターンに対応付けられている「進入者表示モードに切り替える」という切替え命令信号に変換される。
【００１８】
タグ読取部１４は、各消防の隊員が所持するタグ３−１〜３−ｍに格納されている隊員情報と、タグ３−１〜３−ｍの識別情報であるタグＩＤとを読み取る。
隊員情報データベース１５には、図３に示す様に、タグ読取部１４が読み取ったタグＩＤに対応させて、データ管理部１１によって隊員情報が書き込まれる。なお、隊員情報データベース１５には、サーバ１が入退出情報を管理する現場において活動する全隊員のタグＩＤと隊員情報とが書きこまれる。
【００１９】
入退情報データベース１７には、図４に示す様に、端末２−１〜２−ｎから受信する隊員ＩＤに対応させて、入退出情報がデータ管理部１１によって書き込まれる。
端末識別情報データベース１８には、サーバ１から送信する隊員情報、進入情報、情報送信命令等の、送信先である端末２−１〜２−ｎの送信先を識別する端末識別情報が格納されている。
【００２０】
次に、端末２−１〜２−ｎは、サーバ１に隊員の入退出情報を送信する。また、端末２−１〜２−ｎが備える表示部２２に、データ管理部２１から入力される表示命令信号に基づき、いずれの隊員が現場に進入しているのか、また、進入している隊員の情報、ユーザに入力を求める操作画面等を表示させる。端末２−１〜２−ｎにおいて、通信部２０は、サーバ１と無線通信を行う。データ管理部２１は、サーバ１から受信したデータ、タグ３−１〜３−ｍから読み取った隊員情報、サーバ１へ送信する入退出情報、表示部２２においてユーザに提示する画面に表示させる情報の制御を行う。また、データ管理部２１は、現在時刻情報が取得可能な時計機能を有している。詳細な動作は後述する。
【００２１】
表示部２２は、データ管理部２１から入力される画面表示命令に基づき、いずれの隊員が現場に進入しているのか、また、進入している隊員の情報、ユーザに入力を求める操作画面等を表示する。
入力受付部２３は、入力受付部１３と同様の機能に、ユーザの入力を受け付けるインタフェースである。
タグ読取部２４は、タグ読取部１４と同様に、各消防の隊員が所持するタグ３−１〜３−ｍに格納されているタグＩＤを読み取る。また、タグ３−１〜３−ｍに格納されている隊員情報を読み取ることも可能である。
【００２２】
隊員情報データベース２５には、隊員情報データベース１５に書きこまれているデータのコピーがサーバ１から送信され、図３に示す様に、タグＩＤに対応させて、隊員情報が書き込まれている。
読取情報データベース２６には、図５に示す様に、タグ読取部２４がタグ３−１〜３−ｍを読み取った際の、読み取った隊員ＩＤと、そのタグ３−１〜３−ｍを持つ隊員が進入したか、退出したかを識別する入退種別と、読み取った時刻とからなる入退出情報と、この入退出情報がサーバ１に送信されたか否かを示す送信フラグとが対応付けられて書きこまれている。
進入情報データベース２７には、図６に示す様に、サーバ１から受信する、現場へ進入しているとして検出されている隊員ＩＤと、進入時刻と、進入時にこの隊員が持つタグ３−１〜３−ｍを受け付けた端末２−１〜２−ｎの識別情報とが対応付けられて記憶されている。
【００２３】
次に、図１の構成におけるシステムの動作例について、図７〜１０のフローチャートを用いて説明する。なお、本実施形態における動作例は、サーバ１において、サーバ１が入退出の情報を管理する全隊員のタグ３−１〜３−ｍを登録するタグ登録過程と、端末２−１〜２−ｎにおいて、隊員が現場に入退出する際の入退受付過程と、サーバ１へ端末２−１〜２−ｎから入退出情報を送信し、サーバ１から、現場へ進入中であると検出された隊員の情報を進入情報として端末２−１〜２−ｎへ送信する入退登録過程と端末２−１〜２−ｎまたはサーバ１において、隊員の現場への進入状況を表示する進入状況表示過程とからなる。
なお、ここでは、例として、サーバ１と端末２−１とにおける動作例を説明する。
【００２４】
＜タグ登録過程＞
予め、サーバ１が入退出を管理する全隊員、すなわち、現場で活動を行う全隊員の隊員情報を受け付け、現場で隊員が活動を開始する前に隊員情報データベース１５に保持しておく。この隊員情報を保持する過程について、端末２−１を保持する複数の隊員からなる班のタグ登録過程を例に図７のフローチャートを用いて説明する。
まず、サーバ１において、タグ読取部１４は、端末２−１を備える班の隊員によって保持されているタグ３−１〜３−ｍに書きこまれている、タグＩＤと隊員情報とを読み取り、読み取ったタグＩＤと隊員情報とをデータ管理部１１に出力する（ステップＳ１）。データ管理部１１は、タグ読取部１４から入力されたタグＩＤに対応させて隊員情報を隊員情報データベース１５に書きこむ（ステップＳ２）。
データ管理部１１は、ステップＳ１〜２におけるタグ読取部１４におけるタグからのタグＩＤと隊員情報との読み取りと、読み取ったデータの書きこみとを、班を構成する全隊員分について繰り返したか否かを検出する（ステップＳ３）。まだ、タグ３−１〜３−ｍが全隊員分読み込まれていないと検出された場合は、ステップＳ１〜２を繰り返す。
【００２５】
なお、ステップＳ３において、班を構成する全隊員分繰り返したか否かを検出する方法としては、例えば、次の様な手順による。データ管理部１１は、予め、タグＩＤと隊員情報とからなる情報を読み込んだタグの数と、これらの情報を読み込む隊員数（＝タグ数）とを記憶する記憶領域を備えておく。タグ登録開始時に、データ管理部１１がタグ登録隊員数の入力を求める表示を表示部１２に表示させる信号を出力し、データ管理部１１が、隊員の操作によって入力受付部１３から入力されたタグ登録隊員数を記憶する。データ管理部１１は、タグ登録隊員数を記憶すると、読み込んだタグの数の記憶領域にゼロを書きこみ、初期化する。
【００２６】
データ管理部１１は、隊員のタグ３−１〜３−ｍから情報を読み込むごとに、情報を読み込み済みのタグの数の記憶領域に記憶しているタグ数を読み出し、読み出したタグ数に１を加えて算出した値を、読み込んだタグの数の記憶領域に上書きして記憶する。データ管理部１１は、タグ登録隊員数を記憶する領域に書きこまれている値と、情報を読み込んだタグの数の記憶領域に書きこまれている値とを比較し、一致している場合を全隊員分読み込んだとして検出し、一致しなかった場合で、タグ登録隊員数の記憶領域に書きこまれている値が、読み込んだタグの数の記憶領域に書きこまれている値よりも小さい場合を全隊員分読み込みが完了していないものとして検出する。また、上記以外の場合をエラーとして出力する。
【００２７】
また、上記の方法に限られず、例えば、タグを読み込むごとに、データ管理部１１は、全隊員の読み込みが完了したか否かの入力を求める画面を表示させる信号を表示部１２に出力し、隊員の操作によって入力受付部１３から全隊員の読み込みが完了したか否かの情報が入力されてもよいし、いずれの方法によって全隊員分繰り返したか否かを検出してもよい。
【００２８】
データ管理部１１は、全隊員分のタグ３−１〜３−ｍから、情報の読み取りが完了すると、これらの隊員が所属する班に備えられる端末２−１の識別情報入力を求める画面を表示させる命令信号を表示部１２に出力する。データ管理部１１は、隊員の操作によって入力受付部１３から入力された端末識別情報を端末識別情報データベース１８に書き込む（ステップＳ４）。
なお、サーバ１は、隊員情報、進入情報、情報送信命令などの送信先を予め保持していてもよい。
データ管理部１１は、隊員情報データベース１５に書きこまれている全情報を読み出す。データ管理部１１は、端末識別情報データベース１８から、格納されている送信先を識別する端末識別情報を全て読み出し、送信先を識別する端末識別情報に基づいて、読み出した隊員情報データベース１５の隊員情報を通信部１０を介して端末２−１に送信する（ステップＳ５）。
【００２９】
端末２−１〜２−ｎにおいて、通信部２０はサーバ１から隊員情報を受信すると、データ管理部２１に受信した隊員情報を出力する（ステップＳ６）。データ管理部２１は、隊員情報が入力されると、入力された隊員情報を隊員情報データベース２５に書き込む（ステップＳ７）。
なお、例えば、端末２−１を備える班のタグ登録の後に、端末２−２を備える他の班のタグ登録が行われる際には、隊員情報データベース１５に端末２−１に加えて端末２−２に所属する隊員の隊員情報が書き込まれる。データ管理部１１は、端末識別情報データベース１８から端末識別情報を読み出すことにより、端末２−１と端末２−２とに隊員情報データベース１５の情報を送信する。
【００３０】
上記の様に、サーバ１の隊員情報データベース１５が更新されるごとに、現場にて活動を行う全ての班に随時新しい隊員情報を送信し、サーバ１と端末２−１〜２−ｎとは、活動を行う全隊員の隊員情報を常に保持する。したがって、予め、現場到着前に隊員情報データベース１５に隊員情報が書き込まれている構成の場合、現場に後から別の班が到着した場合であっても、随時新しく到着した班の隊員情報をもサーバ１と端末２−１〜２−ｎとにおいて保持することが可能となる。
現場にて活動を行う全ての班の隊員情報は、その活動を開始する前に、予め上述したステップＳ１〜Ｓ７の手順に従って、サーバ１及び端末２−１〜２−ｎにおいて登録処理が行われ、隊員情報がサーバ１及び端末２−１〜２−ｎに登録されているものとする。
また、ステップＳ５において、隊員情報の送信は、ユーザによる隊員情報送信命令信号の入力に基づいて行われてもよい。
【００３１】
＜入退受付過程＞
次に、隊員の現場内への進入前及び退出後、入退出が行われる現場への出入口に最寄りの端末２−１〜２−ｎにおいて、その入退出の情報入力の受付を行う場合の動作について、図８のフローチャートを用いて説明する。
端末２−１において、班長またはその他の隊員の操作により、入力受付部２３から進入と退出とのいずれの入退情報の入力であるかを示す入退種別情報が入力され、データ管理部２１に入退種別情報が出力される（ステップＳ１１）。
【００３２】
データ管理部２１は、入退種別情報が入力されると、タグ３−１〜３−ｍをタグ読取部２４において読み出させるための操作を要求する画面を表示させる命令信号を表示部２２に出力する。また、同時に、データ管理部２１は、入退する隊員の有するタグ３−１〜３−ｍから情報を読み出す読み出し命令信号をタグ読取部２４に出力する。なお、タグ３−１〜３−ｍをタグ読取部２４において読み出させるための操作とは、ユーザに対し、タグ読取部２４において、タグ３−１〜３−ｍが読み取り可能な状態にセットする操作であり、例えばタグ３−１〜３−ｍが非接触型ＩＣタグであれば、タグ読取部２４にタグ３−１〜３−ｍをかざす動作を意味し、タグ３−１〜３−ｍがタグ読取部２４と接触することにより情報を読み取ることが可能な構成であれば、タグ読取部２４にタグ３−１〜３−ｍを接触させる動作を意味する。
【００３３】
タグ読取部２４は、タグ３−１〜３−ｍからタグＩＤを読み取り、読み取った隊員ＩＤをデータ管理部２１に出力する（ステップＳ１２）。
データ管理部２１は、タグＩＤが入力されると、タグＩＤを検索キーとして、隊員情報データベース２５から、対応する隊員ＩＤを読み出す。データ管理部２１は、入退種別情報と、データ管理部２１が有する時計機能によって得られる受付時刻情報と、未送信である送信フラグ情報とを、隊員ＩＤと対応付けて、入退情報として、入退情報データベース１７に書き込む（ステップＳ１３）。なお、入退情報とは、隊員ＩＤと、入退種別情報と、受付時刻情報と、送信フラグ情報とを意味する。また、ここで、送信フラグとは、端末２−１〜２−ｎが受け付けた入退情報が未送信であれば０、送信済みであれば１として入退情報データベース１７に書き込むことによって、入退情報が未送信であるか否かを示すフラグである。
なお、連続して同一の入退種別の入退受付を行う場合は、ステップＳ１１を省略して、ステップＳ１２〜Ｓ１３を繰り返して受け付けることが可能な構成でもよい。この構成によれば、同一の入退種別の連続受付の際に、冗長な操作を班長や隊員であるユーザに求めること無く、端末２−１〜２−ｎにおいて入退情報を受け付けることが可能となる。
【００３４】
＜入退登録過程＞
次に、サーバ１が端末２−１〜２−ｎから入退情報を受信し、進入情報を端末２−１〜２−ｎへ送信する過程について、図９のフローチャートを用いて説明する。
サーバ１において、データ管理部１１は、所定の周期ごとに、端末識別情報データベース１８に登録されている端末識別情報に基づき、入退情報の送信を要求する入退情報送信命令信号を通信部１０を介して、端末２−１〜２−ｎに送信する（ステップＳ２１）。端末２−１〜２−ｎにおいて、データ管理部２１は、通信部２０を介して入退情報送信命令信号を受信すると（ステップＳ２２）、読取情報データベース２６から、送信フラグが未送信である入退情報を全て読み出す。データ管理部２１は、読み出した入退情報と、端末２−１の端末識別情報とをサーバ１に送信すると共に、読み出した入退情報の送信フラグを送信済みを示す情報に書き換える（ステップＳ２３）。
【００３５】
サーバ１において、データ管理部１１は、通信部１０を介して入退情報と端末識別情報とを受信すると（ステップＳ２４）、受信した入退情報に、読取端末として端末識別情報を付与して書き込むことにより、入退情報データベース１７を更新する（ステップＳ２５）。
データ管理部１１は、入退情報データベース１７から、進入中である隊員の入退情報を検索して読み出し、全ての進入中の隊員の入退情報を、進入中の隊員の情報である進入情報として端末２−１に送信する（ステップＳ２６）。
【００３６】
なお、この読み出しは、例えば、以下の手順によって行う。データ管理部１１は、入退情報データベース１７に、入退情報と読取端末とに加えて、入退ペアフラグ欄を設ける。この入退ペアフラグ欄は、対応する入退情報があるか否かを示すフラグである。なお、この対応する入退情報とは、同一の隊員ＩＤを持つ１つの進入時の入退情報と１つの退出時の入退情報で、かつ進入時の受付時刻よりも退出時の受付時刻が後である入退情報のペアに対し、互いを対応する入退情報とする。なお、この対応は、進入と退出は必ず１対１となることから、進入時と退出時の入退情報は１対１の対応となるという関係がある。
なお、この入退ペアフラグ欄には、例えば対応する入退情報が無い場合は０、ある場合を１として、対応する入退情報があるか否かを示す。
【００３７】
ステップＳ２５における、進入中の隊員の入退情報の読み出しの手順の説明に戻る。データ管理部１１は、入退情報データベース１７の入退ペアフラグ欄を全て０にする。次に、データ管理部１１は、入退情報データベース１７に書き込まれている入退情報を時系列順にソートする。データ管理部１１は、入退情報データベース１７から入退種別が進入である入退情報を時系列順に読み出し、進入時の入退情報に対応する退出時の入退情報を検出する。この進入時の入退情報に対応する退出時の入退情報は、次の４条件を全て満足する入退情報である。
１．進入時の入退情報より受付時刻が後の入退情報。
２．入退種別が退出である入退情報。
３．進入時と同一の隊員ＩＤを持つ入退情報。
４．入退ペアフラグ欄が０である入退情報。
上記の４条件を満たす進入時の入退情報に対応する退出時の入退情報が検出された場合、データ管理部１１は、対応する入退情報のペアの入退ペアフラグ欄に１を書き込む。なお、複数の対応する退出時の入退情報が検出された場合は、最も受付時刻が古い、すなわち最も進入時の受付時刻に近い入退情報を対応する入退情報として検出する。
進入時の入退情報に対応する退出時の入退情報が検出されなかった場合は、この入退情報の隊員ＩＤを持つ隊員が進入中の隊員であるとして検出する。
【００３８】
以上の動作を全ての進入時の入退情報全てについて行うことにより、進入中の隊員の入退情報を読み出す。
なお、入退情報データベース１７の入退情報を時系列順にソートせずに、データ管理部１１が、入退情報データベース１７から入退情報の受付時刻が若い順に検索する方法でもよい。
また、ソート時、１つの入退情報の受付時刻から、所定時間内の受付時刻情報を有する入退情報で同一の隊員ＩＤであり、かつ、同一の入退種別である入退情報がある場合は、多重登録とみなして、受付時刻情報が若い入退情報を保持し、それ以外を破棄する。なお、所定時間内の同一の隊員ＩＤと入退種別とを持つ入退情報の複数の受付時刻情報の間に、同一の隊員ＩＤで異なる入退種別を持つ入退情報がある場合、短時間で出入りしたものであるとみなし、データ管理部１１は、入退情報を破棄しない。
【００３９】
上記の動作を行うことにより、端末２−１〜２−ｎにおける誤操作・誤動作などにより、誤って１度の入退に対し複数回の入退情報を登録してしまった場合であっても、サーバ１において重複した入退情報を破棄することが可能となる。また、この重複した入退情報の破棄は、ユーザ操作によってサーバ１の入力受付部１３や端末２−１〜２−ｎの入力受付部２３などの入力デバイスを介して行うことも可能である。
【００４０】
図９のフローチャートにおける動作の説明に戻り、端末２−１〜２−ｎにおいて、データ管理部２１は、サーバ１から進入している隊員の情報である進入情報を通信部２０を介して受信する（ステップＳ２７）。データ管理部２１は、進入情報データベース２７に記録されている古い進入情報を破棄し、受信した新しい進入情報を書き込むことにより、更新を行う（ステップＳ２８）。
【００４１】
なお、ステップＳ２４において、入退情報データベース１７は、端末２−１から受信した入退情報の更新後に、ステップＳ２５において、端末２−１に対してのみ更新後の進入情報を送信するとしたが、入退情報データベース１７が更新されるごとに、端末識別情報データベース１８に記憶されている端末識別情報に対応する全ての端末２−１〜２−ｎに進入情報を送信してもよい。また、予め、データ管理部１１がどの端末から入退情報が送られてきたのかを保持しておき、端末識別情報データベース１８に記憶されている端末識別情報に対応する全ての端末２−１〜２−ｎから入退情報を受信し、入退情報データベース１７が更新されたことをデータ管理部１１が検出した後に、全ての端末２−１〜２−ｎに進入情報を送信してもよい。
また、ステップＳ２１におけるサーバ１から入退情報の要求を行わず、ステップＳ２１〜２３において端末２−１〜２−ｎにおいて入退情報の受付を行った際に、随時サーバ１に入退情報を送信する構成でもよい。
【００４２】
＜進入状況表示過程＞
次に、上述したタグ登録過程、入退受付過程、入退登録過程における動作が、サーバ１及び端末２−１〜２−ｎにおいて随時行われている場合において、隊員の現場への進入状況を表示させる動作について、端末２−１〜２−ｎの表示部２２に進入状況を表示させる場合を例に、図１０のフローチャートを用いて説明する。
データ管理部２１は、ユーザ入力により、入力受付部２３を介して、進入状況命令が入力される（ステップＳ３１）。次に、データ管理部２１は、進入情報データベース２７から進入中の隊員の隊員ＩＤと、進入時の受付時刻情報と、読取端末の識別情報とを読み出す（ステップＳ３２）。データ管理部２１は、読み出した隊員ＩＤごとに読み出した隊員ＩＤを検索キーとして隊員情報データベース２５から隊員情報を読み出す（ステップＳ３３）。データ管理部２１は、隊員ＩＤごとに、図１１に示す表示画面例の様に隊員情報と、進入時の読取端末の識別情報と、進入経過時間と、進入時の受付時刻とを表示する（ステップＳ３４）。
なお、進入経過時間とは、進入時の受付時刻と、データ管理部２１が持つ時計機能によって得られる現在時刻とを比較し、現在時刻から受付時刻を減算することにより算出する。
【００４３】
また、図１２は、サーバ１における進入状況の表示画面例である。端末２−１〜２−ｎとサーバ１とにおける進入状況を表示させる動作において、ステップＳ３２における進入情報の読み出しのみ、動作が異なるため、この動作のみ説明を行う。
サーバ１において、入退登録過程におけるステップＳ２６と同様に、データ管理部１１は、入退情報データベース１７から、進入中である隊員の入退情報を検索して読み出し、全ての進入中の隊員の入退情報を、進入中の隊員の情報である進入情報として読み出す。
上述した進入状況表示過程においては、ユーザによって入力される表示命令に従って、進入状況を表示するとして説明したが、常に進入状況を表示しておく構成も可能である。この場合、ステップＳ３１を行わず、また、タグ登録過程の開始時に、ユーザによって入力されるタグ登録過程開始命令信号に基づき、データ管理部１１は、進入状況の表示から、タグ登録を行う画面表示に切り替える命令信号を表示部１２に出力し、ステップＳ１〜Ｓ７が行われる。
【００４４】
また、所定の周期ごとに進入状況の表示画面を更新することも可能である。また、端末２−１〜２−ｎにおいては、予めデータ管理部２１が進入情報データベース２７の最終更新時刻を保持しておき、常に進入情報データベース２７に書き込まれている更新時刻と比較することにより、更新の有無を検出し、進入情報データベース２７の更新を検出した場合に、ステップＳ３２〜Ｓ３４を繰り返すことにより、表示画面を更新することも可能である。同様に、サーバ１においても、入退情報データベース１７の更新を検出して、表示画面を更新することが可能である。
【００４５】
また、端末２−１〜２−ｎにおいて、進入状況の表示画面に表示する進入者の情報は、進入情報データベース２７に格納されている進入者のみとして説明したが、サーバ１へ未送信の入退情報を読取情報データベース２６から読み出し、進入状況に反映させる構成でもよい。
【００４６】
従来、進入中の隊員を確認するためには、現場にいる全ての班長が持つ隊員の入退情報を人手によって集約しなければならず、その手間は重大であり、かつ、リアルタイムに把握しづらいという問題があったが、この構成によれば、ユーザ入力が無くとも常に画面上に進入状況を表示させることが可能となり、特に火事現場など、緊急の場において、サーバ１または端末２−１〜２−ｎの表示画面を確認するだけで、隊員の進入状況を確認することが可能となる効果がある。
【００４７】
なお、上述したタグ登録過程は、現場に複数の隊員からなる班が到着するごとに、サーバ１において随時タグの登録処理が行われる。また、入退受付過程は、端末２−１〜２−ｎにおいて、隊員の入退出時に随時、入退情報の受付処理が行われる。入退登録過程は、所定の周期ごとに行われてもよいし、ユーザ入力によって入退登録過程の処理開始命令が入力され、行われてもよい。進入状況表示過程は、班長や隊員であるユーザの表示要求命令によって隊員の進入状況を表示されてもよいし、常に進入状況を表示部２２または表示部１２に表示しておき、ユーザ入力により、タグ登録過程、入退受付過程、入退登録過程の開始命令が入力された場合に、画面を切り替える構成でもよい。また、入退登録過程は、隊員進入状況を表示したまま、バックグラウンドで処理が行われる構成でもよい。
【００４８】
上述したタグ登録過程により、サーバ１の隊員情報データベース１５が更新されるごとに、現場にて活動を行う全ての班に随時新しい隊員情報を送信し、サーバ１と端末２−１〜２−ｎとが、その現場において活動を行う全隊員の隊員情報を常に保持することが可能となる。これにより、いずれの端末２−１〜２−ｎにおいても、タグＩＤまたは隊員ＩＤのみが入力された場合であっても以下の情報が読み出し可能となる。タグＩＤまたは隊員ＩＤを検索キーとして、隊員情報データベース２５を検索して対応する隊員の隊員情報を読み出すことが可能となる。また、タグＩＤまたは隊員ＩＤを検索キーとして、進入情報データベース２７を検索することにより、その隊員が現場に進入しているか否かを検索することが可能となる効果がある。
また、班ごとに隊員情報の登録を行うことにより、後から応援として駆けつけた消防隊員の班員についても、入退出の管理を行うことが可能となる効果がある。さらに、別の管轄の消防署等からの応援があった場合にも、到着時に、隊員情報の登録を行うことにより、入退出の管理を行うことが可能となる。
【００４９】
なお、タグ３−１〜３−ｍが発行される際、全ての隊員について、タグＩＤと隊員情報とを対応付けた情報を、予め隊員情報データベース１５に記憶させておく構成でもよい。この場合、隊員情報データベース１５には、サーバ１が入退管理を行う現場で活動を行う隊員だけでは無く、全ての隊員についての隊員情報と、対応するタグＩＤとが予め記憶されている。また、隊員情報データベース１５ではなく、タグ３−１〜３−ｍ発行時にタグＩＤと隊員情報とを対応付けて書き込む発行情報記憶手段を別に設けておき、この発行情報記憶手段から隊員情報とタグＩＤとを読み出して隊員情報データベース１５に予め情報を書きこんでおく構成でも良い。また、隊員情報は予め隊員情報を格納する記憶手段に格納しておき、タグ３−１〜３−ｍの発行時に、読み取ったタグＩＤのみを隊員情報と対応させて、隊員情報を格納する記憶手段に書きこんでも良い。
【００５０】
また、上述した実施形態においては、タグＩＤを用いて入退情報データベース１７、読取情報データベース２６、進入情報データベース２７から情報の読み書きを行っていたが、タグＩＤの代わりに隊員ＩＤを用いてもよいし、タグＩＤと隊員ＩＤとの双方を用いる構成でもよい。
なお、上述した実施形態においては、隊員情報が格納される媒体として、タグ３−１〜３−ｍを用いる場合を例に説明したが、これに限らず、隊員情報が格納され、外部に読み取れる媒体であればいずれの媒体でも適用可能である。例えば、非接触ＩＣカードでも、ＩＣタグやＩＣカード、データキャリア等の名称で呼ばれるＲＦＩＤ（Radio Frequency Identification）であってもよいし、光学式マーク認識に用いられるための隊員情報の文字列や、隊員情報を変換した一次元コード、二次元コードなどが印刷された印刷物であってもよい。端末２−１〜２−ｎに接続して情報が読み出し可能な記録媒体、例えばＵＳＢ（Universal Serial Bus）やＩＥＥＥ１３９４、Ｂｌｕｅｔｏｏｔｈ（登録商標）などの通信インタフェースを持つ記録媒体でもよいし、隊員の操作によって格納されている隊員情報を端末２−１〜２−ｎに送信する携帯端末でもよい。なお、この携帯端末とは、例えば携帯電話端末でもよいし、ＰＤＡ（Personal Digital Assistant）でもよいし、端末２−１〜２−ｎに隊員情報を送信可能な端末であればいずれの端末でも適用可能である。
【００５１】
なお、上述した実施形態においては、サーバ１から端末２−１〜２−ｎへ進入情報が送信される構成としたが、入退情報データベース１７に書き込まれている全入退情報を送信し、端末２−１〜２−ｎにおいて、進入状況を表示する場合には、ステップＳ２６と同様に、データ管理部２１が、進入情報データベース２７から、進入中である隊員の入退情報を検索して読み出し、全ての進入中の隊員の入退情報を、進入中の隊員の情報である進入情報として進入情報を検出し、検出した進入情報を表示部２２が表示する構成でもよい。
また、ユーザに進入状況を通知する手段として表示部２２を例にして説明したが、通知手段は、例えば、スピーカーによる音声通知などでもよいし、ユーザに入退に関する情報を通知することが可能な手段であればいずれの手段であっても適用可能である。
【００５２】
なお、上述した実施形態においては、サーバ１及び端末２−１〜２−ｎにおいて、所定の条件として進入中の隊員の進入状況を表示するとして説明したが、例えば、端末２−１〜２−ｎが備えられる班の隊員のみの進入状況を表示させる条件や、隊員が進入中であるか否かを隊員ごとに表示させる条件などとして設定することも可能である。例えば、班員のみの進入状況の表示は、進入情報データベース２７に格納されている入退情報から隊員ＩＤを読み出し、読み出した隊員ＩＤを検索キーとして隊員情報データベース２５から小隊名を検索し、所定の小隊名に一致する入退情報のみを抽出することにより表示する。
【００５３】
また、上述した実施形態としてサーバ１と端末２−１〜２−ｎとが無線通信を行う場合を例に説明したが、例えば固定電話網、携帯電話網、インターネットなどの公衆網や、ＬＡＮ（Ｌｏｃａｌ  Ａｒｅａ  Ｎｅｔｗｏｒｋ）、専用線などの私設網、移動体網、無線通信網からなるネットワークを介してサーバ１と端末２−１〜２−ｎとが接続される構成でもよい。
また、消防活動においては、建物等を取り囲んでサーバ１及び端末２−１〜２−ｎを配置する。したがって、建物などの障害物があっても、サーバ１と端末２−１〜２−ｎとの通信が可能となる通信方法が望ましい。これには、例えば、通信時に中継装置を介して通信する方法でも良いし、建物などの障害物を回りこんで送受信可能な特性を持ち、さらにデジタル通信が可能である電波の周波数帯域である４２６ＭＨｚ帯または４２９ＭＨｚ帯を用いた無線通信によって通信する方法でも良い。
【００５４】
また、タグ読取部１４に、タグの読取機能に加えてタグに情報を書き込む機能を持たせることにより、サーバ１において、タグ３−１〜３−ｍを発行することが可能となる。この場合、タグ読取部１４において、隊員情報が書き込まれていないタグ３−１〜３−ｍに、入力受付部１３を介して入力された隊員情報を書き込むことによりタグ３−１〜３−ｍを発行する。なお、サーバ１におけるタグ３−１〜３−ｍを発行時においても、隊員情報データベース１５にタグＩＤと隊員情報とを対応付けた情報を書き込むことにより、予め隊員情報を格納しておくことも可能である。この構成によれば、例えば、現場において、隊員の活動中にタグ３−１〜３−ｍが焼失したり、紛失したりした場合であっても、改めて現場においてタグ３−１〜３−ｍを発行し、隊員に携帯させることが可能となる。
【００５５】
また、サーバ１と端末２−１〜２−ｎとの通信において、通信障害等の原因によって、正常に情報を送受信できない場合には、一時的に送信すべきデータを保持し、通信復旧時に一括送信する。通信障害の有無の検出は、例えば通信開始時に通信状況チェックとして、送信元が送信先にテスト用信号を送信し、送信先はテスト用信号を受信すると、このテスト用信号を送信元に送信し、送信元が送信したテスト用信号と、送信先から受信したテスト用信号とを比較することにより、正常に送受信可能な通信状況であるか否かを検出してもよいし、通信障害の有無が検出可能な方法であればいずれの方法であっても適用可能である。また、一定時間、送信元から送信されるデータ送信要求に対して、送信先からの応答が無い場合には、所定のタイムアウト時間に応じて通信を中止する。
【００５６】
また、サーバ１と端末２−１〜２−ｎとの間における情報の送受信中に通信障害が起こる場合に備え、例えば送受信時に送受信データのデータサイズを付与して送信する。送信先は、受信したデータサイズと実際の受信データのデータサイズとを比較して、送受信が正常に行われたか否かを検出し、受信したデータサイズと実際の受信データのデータサイズとが異なる場合には受信したデータを破棄し、データの再送要求信号を送信元に送信する。受信したデータサイズと実際の受信データのデータサイズとが一致する場合には、正常にデータが送受信できたとして、正常に送受信できたことを示す正常報告情報を送信元に送信する。送信元は、再送要求信号を受信した場合、データを再送し、正常報告情報を受信した場合、送信したデータを送信済みとして送信済みを示すフラグを立てるなどの処理を行う。
【００５７】
また、上述した動作例において、情報の送信を要求する命令信号に対して、命令信号の送信先が送信元へ情報を送信する際に、以下の様な動作を行ってもよい。
情報の送信を要求する命令信号を送信する際、この命令信号の命令送信元は、命令信号とともに、この命令信号がいずれの時刻に送信されたものであるかを識別する識別番号を付与して、命令信号と識別番号とを命令送信先へ送信する。命令送信先は、命令信号と識別信号とを受信すると、命令信号に基づいて情報と、受信した識別信号とを命令送信元に送信する。
上記の動作によって、通信環境が不安定な場合で、命令送信先から送信される情報の命令送信元への到着が遅延した場合、遅延して受信した情報よりもより新しい情報が先に命令送信元へ到着することが起こりうる。このとき、上記の構成により、命令送信元が受信した識別情報から、いつの命令信号に対応して送信された情報であるのかを識別することが可能となり、新しい情報が遅延して到着した古い情報に上書きされること無く、入退情報の管理が可能となるという効果がある。
【００５８】
また、上述した実施形態においては、火事現場における消防隊が消火活動等の活動を行う場合について説明したが、本発明はこれに限られず、複数の出入口を有する管理区域への一時的な入退管理が求められる場合に適用でき、例えば、入場可能な時間の制限を設けた展示会場への入退管理や、戦時下における軍隊の入退管理などに適用可能である。なお、展示会場への入退管理など、多数の入退管理対象がおり、無秩序に入退出を行う場合は、個別に入退種別情報を入力させてもよい。また、個別に入退種別情報を入力させる場合、入退受付過程のステップＳ１２の後に、ステップＳ１１の入退種別情報を入力させてもよい。
【００５９】
また、上述した実施形態において、ユーザ入力によって、タグ登録過程、入退受付過程、入退登録過程及び進入状況表示過程を切り替えるとして説明したが、このユーザ入力は、例えば予め端末２−１〜２−ｎ及びサーバ１に、各過程を切り替える機能を割り当てる操作キーを、入力受付部１３及び入力受付部２３に設定しておき、この操作キーがユーザに操作されるごとに順次、各過程を切り替える構成でもよいし、各過程ごとの別個の操作キーを割り当てておき、操作キーがユーザに操作されることによる入力信号によって対応する過程に切り替える構成でもよい。
【図面の簡単な説明】
【００６０】
【図１】本発明の実施形態における入退管理システムの構成例を示すブロック図である。
【図２】本発明の入退管理システムを示す概念図である。
【図３】隊員情報データベース１５に記憶される隊員情報の一例を示す図面である。
【図４】入退情報データベース１７に記憶される入退情報の一例を示す図面である。
【図５】読取情報データベース２６に記憶される読取情報の一例を示す図面である。
【図６】進入情報データベース２７に記憶される進入情報の一例を示す図面である。
【図７】本発明の実施形態による入退管理システムにおけるタグ登録過程の動作フローを示すフローチャートである。
【図８】本発明の実施形態による入退管理システムにおける入退受付過程の動作フローを示すフローチャートである。
【図９】本発明の実施形態による入退管理システムにおける入退登録過程の動作フローを示すフローチャートである。
【図１０】本発明の実施形態による入退管理システムにおける進入状況表示過程の動作フローを示すフローチャートである。
【図１１】本発明の実施形態による表示画面例を示す図面である。
【図１２】本発明の実施形態による表示画面例を示す図面である。
【符号の説明】
【００６１】
１  サーバ
２−１〜２−ｎ  端末
３−１〜３−ｍ  タグ
１０  通信部
１１  データ管理部
１２  表示部
１３  入力受付部
１４  タグ読取部
１５  隊員情報データベース
１７  入退情報データベース
１８  端末識別情報データベース
２０  通信部
２１  データ管理部
２２  表示部
２３  入力受付部
２４  タグ読取部
２５  隊員情報データベース
２６  読取情報データベース
２７  進入情報データベース
【図１】
2008070967.tif 000003
【図２】
2008070967.tif 000004
【図３】
2008070967.tif 000005
【図４】
2008070967.tif 000006
【図５】
2008070967.tif 000007
【図６】
2008070967.tif 000008
【図７】
2008070967.tif 000009
【図８】
2008070967.tif 000010
【図９】
2008070967.tif 000011
【図１０】
2008070967.tif 000012
【図１１】
2008070967.tif 000013
【図１２】
2008070967.tif 000014